【事件の表示】
　特願２０１９−　　７５７１「延長された寿命を有する高解像低消費電力ＯＬＥＤディスプレイ」拒絶査定不服審判事件〔令和　１年　５月３０日出願公開、特開２０１９−　８３２０３〕について、次のとおり審決する。
【結　論】
　本件審判の請求は、成り立たない。
【理　由】
第１　手続等の経緯
　特願２０１９−７５７１号（以下「本件出願」という。）は、２０１５年（平成２７年）５月２７日（パリ条約に基づく優先権主張外国庁受理　２０１４年５月２７日　２０１４年５月３０日　２０１４年７月１８日　２０１４年１０月２４日、２０１５年１月２６日、２０１５年１月２６日、２０１５年４月２８日）を国際出願日とする、特願２０１６−５６９６８４号の一部を新たな特許出願としたものであって、その手続等の経緯の概要は、以下のとおりである。
令和　元年１２月１８日付け：拒絶理由通知書
令和　２年　３月　６日提出：意見書
令和　２年　３月　６日提出：手続補正書
令和　２年　３月１９日付け：拒絶査定（以下「原査定」という。）
令和　２年　７月２１日提出：審判請求書
令和　２年　７月２１日提出：手続補正書
令和　２年１０月　９日提出：上申書
第２　令和２年７月２１日にされた手続補正についての補正の却下の決定
［結論］
　令和２年７月２１日にされた手続補正（以下「本件補正」という。）を却下する。
［理由］
１　本件補正の内容
（１）本件補正前の特許請求の範囲
　本件補正前（令和２年３月６日にした手続補正後）の特許請求の範囲の請求項１及び請求項４の記載は、それぞれ、次のとおりである。
「　【請求項１】
　フルカラーＯＬＥＤディスプレイであって、
　複数の副画素をそれぞれが含む複数の画素を含み、
　前記ディスプレイが、異なる２色のみの第１の有機発光領域と第２の有機発光領域を含む、少なくとも４色の異なる色の副画素を含み、
　前記複数の画素の全ての画素が、前記第１の有機発光領域と、位置が重ならず異なる色の少なくとも２つの色変換層を有する部分、及び色変換層を有さない部分を有する前記第２の有機発光領域を含み、且つ、
　少なくとも６００ｄｐｉの解像度を有することを特徴とするフルカラーＯＬＥＤディスプレイ。」
「　【請求項４】
　前記第２の有機発光領域において、色変換層を有さない部分の面積が、色変換層を有するいずれかの部分の面積の１／２でない請求項１から３のいずれかに記載のフルカラーＯＬＥＤディスプレイ。」
（２）本件補正後の特許請求の範囲
　本件補正後の特許請求の範囲の請求項１の記載は、次のとおりである。なお、下線は当合議体が付与したものであり、本件補正前の請求項４に係る発明から実質的に変更された箇所を示す。
「　フルカラーＯＬＥＤディスプレイであって、
　複数の副画素をそれぞれが含む複数の画素を含み、
　前記ディスプレイが、異なる２色のみの第１の有機発光領域と第２の有機発光領域を含む、少なくとも４色の異なる色の副画素を含み、
　前記複数の画素の全ての画素が、前記第１の有機発光領域と、位置が重ならず異なる色の少なくとも２つの色変換層を有する部分、及び色変換層を有さない部分を有する前記第２の有機発光領域を含み、
　前記第２の有機発光領域において、色変換層を有さない部分の面積が、色変換層を有するいずれかの部分の面積の１／２でなく、且つ、
　少なくとも
８００
２　補正の適否について
　本件補正のうち本件補正後の請求項１についてした補正は、本件補正前の請求項１を引用する請求項４に記載された発明を特定するために必要な事項である「解像度」の範囲を、願書に最初に添付した明細書の【００４０】等の記載に基づいて、「少なくとも６００ｄｐｉ」から「少なくとも８００ｄｐｉ」に限定する補正を含むものである。また、本件補正前の請求項１を引用する請求項４に記載された発明と、本件補正後の請求項１に記載される発明の、産業上の利用分野（【０００３】）及び解決しようとする課題（【００１８】）は同一である。
　したがって、本件補正のうち請求項１についてした補正は、特許法第１７条の２第３項の規定する要件を満たしているとともに、同条第５項第２号の特許請求の範囲の減縮を目的とするものに該当する。
　そこで、本件補正後の請求項１に係る発明（以下「本件補正後発明」という。）が、特許法第１７条の２第６項において準用する同法１２６条第７項の規定に適合するか（特許出願の際独立して特許を受けることができるものであるか）について、以下、検討する。
（１）本件補正後発明
　本件補正後発明は、上記「１」「（２）本件補正後の特許請求の範囲」に記載したとおりのものである。
（２）引用文献１及び引用発明
　ア　引用文献１の記載事項
　原査定の拒絶の理由で引用文献１として引用され、本件出願の最先の優先権主張の日（以下「本件優先日」という。）前に日本国内又は外国において、頒布された刊行物である米国特許出願公開第２００９／０２９５２８３号明細書（以下、同じく「引用文献１」という。）には、以下の事項が記載されている。なお、訳は当合議体にて行った。また、下線は当合議体が付与したものである。
　（ア）「　BACKGROUND OF THE INVENTION
[0002]　1. Field of the Invention
[0003]　Aspects of the present invention relate to an organic light-emitting diode (OLED) display having a high resolution.
・・・省略・・・
　　　　SUMMARY OF THE INVENTION
[0009]　Aspects of the present invention provide an OLED display having a high resolution, while maintaining a minimum margin for patterning of an organic emission layer.
[0010]　An OLED display, according to an exemplary embodiment of the present invention, includes: a first substrate; an opposing second substrate; an organic light-emitting unit formed between the first and second substrates and having an organic emission layer; a driving circuit formed between the first and second substrates and connected to the organic light-emitting unit; and a filter. The organic emission layer includes a blue emission layer and a yellow emission layer. The filter has a pattern corresponding to the yellow emission layer, which converts yellow light into red light and green light.」
当合議体訳：「　発明の背景
[0002]　１．発明の属する技術分野
[0003]　本発明の態様は、高解像度の有機発光ダイオード（ＯＬＥＤ）ディスプレイに関する。
・・・省略・・・
　発明の概要
[0009]　本発明の態様により、有機発光層のパターニングのための最低限のマージンを保ちながら、高解像度のＯＬＥＤディスプレイが提供される。
[0010]　本発明の例示的な実施形態によれば、ＯＬＥＤディスプレイは、第１の基板と、対向する第２の基板と、第１の基板と第２の基板との間に形成され、有機発光層を有する有機発光ユニットと、第１の基板と第２の基板との間に形成され、有機発光ユニットに接続された駆動回路と、フィルタとを含む。有機発光層は、青色発光層と黄色発光層とを含む。フィルタは、黄色発光層に対応するパターンを有しており、黄色光を赤色光と緑色光に変換する。」
　（イ）「[0078]　FIG. 6 is a perspective view showing the relationship between an organic emission unit 414 and a filter 430, of a unit pixel 440 of an OLED display, according to the fourth exemplary embodiment of the present invention. Referring to FIG. 6, the organic emission unit 414 includes a blue emission layer 414B and a yellow emission layer 414Y. The filter 430 includes a blue light transmission region 430B, a yellow light transmission region 430Y, a green light conversion region 430G, and a red light conversion region 430R.
[0079]　The yellow light transmission region 430Y corresponds to a portion of the yellow emission layer 414Y and transmits yellow light. The blue emission layer 414B and the yellow emission layer 414Y have a first length L1 in a data line direction (y-axis direction) and a first width W1 in a scan line direction (x-axis direction). That is, the area AB of the blue emission layer 414B equals the area AY of the yellow emission layer 414Y (AB=AY=L1*W1).
[0080]　The blue light transmission region 430B has the first length L1 and the first width W1. The red light conversion region 430R has the first length L1 and the second width W2. The green light conversion region 430G and the yellow light transmission region 430Y have the first length L1 and a third width W3 (W3=W2/2), corresponding to half the second width W2.
[0081]　That is, the area AB of the blue light transmission region 430B corresponds to the sum of the area AR of the red light conversion region 430R, the area AGGG of the green light conversion region 430G, and the area AYYY of the yellow light transmission region 430Y (AB=AR+AGGG+AYYY). The area AR of the red light conversion region 430R corresponds to the sum of the area AGGG of the green light conversion region 430G and the area AYYY of the yellow light transmission region 430Y (AR=AGGG+AYYY). The area AGGG of the green light conversion region 430G corresponds to the area AYYY of the yellow light transmission region 430Y (AGGG=AYYY).
[0082]　The unit pixel 440 includes a blue sub-pixel 440B, a red sub-pixel 440R, a green sub-pixel 440G, and a yellow sub-pixel 440Y. The blue sub-pixel 440B includes the blue emission layer 414B and the blue light transmission region 430B. The red sub-pixel 440R includes a portion of the yellow emission layer 414Y and the red light conversion region 430R. The green sub-pixel 440G includes a portion of the yellow emission layer 414Y and the green light conversion region 430G. The yellow sub-pixel 440Y includes the portion of yellow emission layer 414Y and the yellow light transmission region 430Y. As the unit pixel 440 further includes the yellow sub-pixel 440Y, the efficiency thereof is improved, as compared to the related art.
[0083]　The blue sub-pixel 440B has the first length L1, the first width W1, and the area L1*W1. The red sub-pixel 440R has the first length L1, the second width W2, and the area L1*W2. The green sub-pixel 440G and the yellow sub-pixel 440Y have the first length L1, the third width W3, and the area L1*W3.
・・・省略・・・
[0089]　FIG. 8 is a perspective view showing the relationship between an organic emission unit 614 and a filter 630, of a unit pixel 640 of an OLED display, according to the sixth exemplary embodiment of the present invention. Referring to FIG. 8, organic emission unit 614 includes a blue emission layer 614B and a yellow emission layer 614Y. The filter 630 includes a blue light transmission region 630B, a yellow light transmission region 630Y, a green light conversion region 630G, and a red light conversion region 630R.
[0090]　The blue light transmission region 630B has an area AB+AAB that is larger than that of the blue light transmission region 430, according to the fourth exemplary embodiment of the present invention. The red light conversion region 630R, the yellow light transmission region 630Y, and the green light conversion region 630G each have the same area.
[0091]　The blue emission layer 614B includes a region having a first length L1 in a data line direction (y-axis direction) and a first width W1 in a scan line direction (x-axis direction), and a region having a fourth length L4 that is shorter than the first length L1 and the first width W1 in the scan line direction. The yellow emission layer 614Y has a fifth length L5 corresponding to a difference between the first length L1 in the data line direction (y-axis direction) and the fourth length L4. The yellow emission layer 614Y has the first width W1 in the scan line direction (x-axis direction). That is, the area AB+AAB of the blue emission layer 614B is larger than the area AYYY of the yellow emission layer 614Y (AB+AABAYYY).
[0092]　The blue light transmission region 630B has a portion having the first length L1 and the first width W1, and a portion having the fourth length L4 and the first width W1. The red light conversion region 630R, the green light conversion region 630G, and the yellow light transmission region 630Y each has the fifth length L5 and a fourth width W4, which corresponds to a third of the first width W1. That is, the area AB+AAB of the blue light transmission region 630B corresponds to the sum of the area AARR of the red light conversion region 630R, the area AAGG of the green light conversion region 630G, and the area AAYY of the yellow light transmission region 630Y (AB+AAB=AARR+AAGG+AAYY). Furthermore, the area AARR of the red light conversion region 630R, the area AAGG of the green light conversion region 630G, and the area AAYY of the yellow light transmission region 630Y are identical (AARR=AAGG=AAYY).
[0093]　The unit pixel 640 includes a blue sub-pixel 640B, a red sub-pixel 640R, a green sub-pixel 640G, and a yellow sub-pixel 640Y. The blue sub-pixel 640B includes the blue emission layer 614B and the blue light transmission region 630B. The red sub-pixel 640R includes a portion of the yellow emission layer 614Y and the red light conversion region 630R. The green sub-pixel 640G includes a portion of the yellow emission layer 614Y and the green light conversion region 630G. The yellow sub-pixel 640Y includes a portion of the yellow emission layer 614Y and the yellow light transmission region 630Y.
[0094]　The total area of the blue sub-pixel 640B corresponds to the sum of the area (L1*W1) and the area (L4*W1). The red sub-pixel 640R, the green sub-pixel 640G, and the yellow sub-pixel 640Y each has the fifth length L5, the fourth width W4, and the area (L5*W4).
[0095]　In the sixth exemplary embodiment of the present invention, the unit pixel 640 includes the yellow sub-pixel 640Y to improve efficiency. The area of the blue sub-pixel 640B is increased to improve the color temperature, as described in the fourth and fifth exemplary embodiments of the present invention.
[0096]　An OLED display, according to exemplary embodiments of the present invention, includes an organic emission layer that includes a blue emission layer and a yellow emission layer. The OLED display includes a filter that includes a blue light transmission region, a red light conversion region, and a green light conversion region, to reduce the number of organic emission layers per unit pixel, while maintaining a minimum margin between neighboring sub-pixels of the organic emission layers, to thereby achieve a high resolution.
[0097]　The OLED display includes a organic emission unit of a unit pixel, which is partitioned into two parts, and a filter that produces at least three, red, green, and blue light, and thus, a high resolution can be obtained.
[0098]Although a few exemplary embodiments of the present invention have been shown and described, it would be appreciated by those skilled in the art that changes may be made in these exemplary embodiments, without departing from the principles and spirit of the invention, the scope of which is defined in the claims and their equivalents.」
当合議体訳：「[0078]　図６は、本発明の第４の例示的な実施形態における、
ＯＬＥＤディスプレイの単位ピクセル
の
有機発光ユニット
は、青色発光層
と黄色発光層
とを含
フィルタ
は、一つの青色光透過領域
と、一つの黄色光透過領域
と、一つの緑色光変換領域
と、一つの赤色光変換領域
とを含
[0079]　
黄色光透過領域
は、黄色発光層
の一部に対応し、黄色光を透過
青色発光層
および黄色発光層
は、データ線方向
に第１の長さＬ１と、スキャン線方向
に第１の幅Ｗ１とを有
青色発光層
の面積ＡＢは、黄色発光層
の面積ＡＹに等し
（ＡＢ＝ＡＹ＝Ｌ１＊Ｗ１）
[0080]　
青色光透過領域
は、第１の長さＬ１と第１の幅Ｗ１とを有
赤色光変換領域
は、第１の長さＬ１と第２の幅Ｗ２とを有
緑色光変換領域
および黄色光透過領域
は、第１の長さＬ１と、第２の幅Ｗ２の半分に一致する第３の幅Ｗ３（Ｗ３＝Ｗ２／２）を有
[0081]　すなわち、
青色光透過領域
の面積ＡＢは、赤色光変換領域
の面積ＡＲと、緑色光変換領域
の面積ＡＧＧＧと、黄色光透過領域
の面積ＡＹＹＹとの和に一致
（ＡＢ＝ＡＲ＋ＡＧＧＧ＋ＡＹＹＹ）
赤色光変換領域
の面積ＡＲは、緑色光変換領域
の面積ＡＧＧＧと、黄色光透過領域
の面積ＡＹＹＹとの和に一致
（ＡＲ＝ＡＧＧＧ＋ＡＹＹＹ）
緑色光変換領域
の面積ＡＧＧＧは、黄色光透過領域
の面積ＡＹＹＹに一致
（ＡＧＧＧ＝ＡＹＹＹ）
[0082]　
単位ピクセル
一つの青色サブピクセル
と、一つの赤色サブピクセル
と、一つの緑色サブピクセル
と、一つの黄色サブピクセル
とを含
青色サブピクセル
は、青色発光層
と、青色光透過領域
とを含
赤色サブピクセル
は、黄色発光層
の一部と、赤色光変換領域
とを含
緑色サブピクセル
は、黄色発光層
の一部と、緑色光変換領域
とを含
黄色サブピクセル
は、黄色発光層
の一部と、黄色光透過領域
とを含
[0083]　
青色サブピクセル
第１の長さＬ１と、第１の幅Ｗ１と、面積Ｌ１＊Ｗ１とを有
赤色サブピクセル
は、第１の長さＬ１と、第２の幅Ｗ２と、面積Ｌ１＊Ｗ２とを有
緑色サブピクセル
および黄色サブピクセル
は、第１の長さＬ１と、第３の幅Ｗ３と、面積Ｌ１＊Ｗ３とを有する
・・・省略・・・
[0089]　図８は、本発明の第６の例示的な実施形態における、ＯＬＥＤディスプレイの単位ピクセル６４０の有機発光ユニット６１４とフィルタ６３０との関係を示す透視図である。図８を参照すると、有機発光ユニット６１４は、青色発光層６１４Ｂと黄色発光層６１４Ｙとを含む。フィルタ６３０は、一つの青色光透過領域６３０Ｂと、一つの黄色光透過領域６３０Ｙと、一つの緑色光変換領域６３０Ｇと、一つの赤色光変換領域６３０Ｒとを含む。
[0090]　青色光透過領域６３０Ｂは、本発明の第４の例示的な実施形態における青色光透過領域４３０ｂの面積よりも大きい面積ＡＢ＋ＡＡＢを有する。赤色光変換領域６３０Ｒ、黄色光透過領域６３０Ｙ、緑色光変換領域６３０Ｇは、それぞれ同一の面積を有する。
[0091]　青色発光層６１４Ｂは、データ線方向（ｙ軸方向）に第１の長さＬ１と、スキャン線方向（ｘ軸方向）に第１の幅Ｗ１とを有する領域、および、第１の長さＬ１よりも短い第４の長さＬ４と、スキャン線方向に第１の幅Ｗ１とを有する領域を含む。黄色発光層６１４Ｙは、データ線方向（ｙ軸方向）に第１の長さＬ１と第４の長さＬ４との差に一致する第５の長さＬ５を有する。黄色発光層６１４Ｙは、スキャン線方向（ｘ軸方向）に第１の幅Ｗ１を有する。すなわち、青色発光層６１４Ｂの面積ＡＢ＋ＡＡＢは、黄色発光層６１４Ｙの面積ＡＹＹＹよりも大きい（ＡＢ＋ＡＡＢ＞ＡＹＹＹ）。
[0092]　青色光透過領域６３０Ｂは、第１の長さＬ１と第１の幅Ｗ１とを有する部分、および、第４の長さＬ４と第１の幅Ｗ１とを有する部分を有する。赤色光変換領域６３０Ｂ、緑色光変換領域６３０Ｇ、および黄色光透過領域６３０Ｙは、それぞれ、第５の長さＬ５と、第１の幅Ｗ１の３分の１に一致する第４の幅Ｗ４とを有する。すなわち、青色光透過領域６３０Ｂの面積ＡＢ＋ＡＡＢは、赤色光変換領域６３０Ｒの面積ＡＡＲＲと、緑色光変換領域６３０Ｇの面積ＡＡＧＧと、黄色光透過領域６３０Ｙの面積ＡＡＹＹとの和に一致する（ＡＢ＋ＡＡＢ＝ＡＡＲＲ＋ＡＡＧＧ＋ＡＡＹＹ）。さらに、赤色光変換領域６３０Ｒの面積ＡＡＲＲと、緑色光変換領域６３０Ｇの面積ＡＡＧＧと、黄色光透過領域６３０Ｙの面積ＡＡＹＹとは、同一である（ＡＡＲＲ＝ＡＡＧＧ＝ＡＡＹＹ）。
[0093]　単位ピクセル６４０は、一つの青色サブピクセル６４０Ｂと、一つの赤色サブピクセル６４０Ｒと、一つの緑色サブピクセル６４０Ｇと、一つの黄色サブピクセル６４０Ｙとを含む。青色サブピクセル６４０Ｂは、青色発光層６１４Ｂと、青色光透過領域６３０Ｂとを含む。赤色サブピクセル６４０Ｒは、黄色発光層６１４Ｙの一部と、赤色光変換領域６３０Ｒとを含む。緑色サブピクセル６４０Ｇは、黄色発光層６１４Ｙの一部と、緑色光変換領域６３０Ｇとを含む。黄色サブピクセル６４０Ｙは、黄色発光層６１４Ｙの一部と、黄色光透過領域６３０Ｙとを含む。
[0094]　青色サブピクセル６４０Ｂの合計面積は、面積（Ｌ１＊Ｗ１）と面積（Ｌ４＊Ｗ１）の合計に一致する。赤色サブピクセル６４０Ｒ、緑色サブピクセル６４０Ｇおよび黄色サブピクセル６４０Ｙは、それぞれ、第５の長さＬ５と、第４の幅Ｗ４と、面積（Ｌ５＊Ｗ４）とを有する。
[0095]　本発明の第６の例示的な実施形態では、単位ピクセル６４０は、効率を向上させるため、黄色サブピクセル６４０Ｙを含む。本発明の第４および第５の例示的な実施形態で説明したように、青色サブピクセル６４０Ｂの面積は、色温度を高めるために大きくなっている。
[0096]　本発明の例示的な実施形態によれば、ＯＬＥＤディスプレイは、青色発光層および黄色発光層を含む有機発光層を含む。本発明のＯＬＥＤディスプレイは、単位ピクセルあたりの有機発光層の数を減らしつつ、有機発光層の隣接するサブピクセル間の最低限のマージンを保つために、青色光透過領域と、赤色光変換領域と、緑色光変換領域とを含むフィルタを備え、これにより、高解像度を実現することができる。
[0097]　本発明のＯＬＥＤディスプレイは、二つの部分に分割された単位ピクセルの有機発光ユニットと、赤色光、緑色光、青色光の少なくとも三つの光を発生させるフィルタとを含むため、高解像度を得ることができる。
[0098]　本発明のいくつかの例示的な実施形態について示し、説明してきたが、本発明の原理および精神から逸脱することなく、これらの例示的な実施形態において変更が加えられ得ることを、当業者は理解するであろうが、その範囲は、特許請求の範囲およびこれに均等なものにおいて定義されている。」
　（ウ）図６
                                               
　（エ）図８
 
  
　イ　引用文献１の[0078]〜[0083]、図６には、第４の例示的な実施形態における、ＯＬＥＤディスプレイとして、次の発明（以下「引用発明」という。）が記載されていると認められる。
「　ＯＬＥＤディスプレイであって、
　ＯＬＥＤディスプレイの単位ピクセルの有機発光ユニットは、青色発光層と黄色発光層とを含み、ＯＬＥＤディスプレイの単位ピクセルのフィルタは、一つの青色光透過領域と、一つの黄色光透過領域と、一つの緑色光変換領域と、一つの赤色光変換領域とを含み、
　黄色光透過領域は、黄色発光層の一部に対応し、黄色光を透過し、青色発光層および黄色発光層は、データ線方向（ｙ軸方向）に第１の長さＬ１と、スキャン線方向（ｘ軸方向）に第１の幅Ｗ１とを有し、青色発光層の面積ＡＢは、黄色発光層の面積ＡＹに等しく（ＡＢ＝ＡＹ＝Ｌ１＊Ｗ１）、
　青色光透過領域は、第１の長さＬ１と第１の幅Ｗ１とを有し、赤色光変換領域は、第１の長さＬ１と第２の幅Ｗ２とを有し、緑色光変換領域および黄色光透過領域は、第１の長さＬ１と、第２の幅Ｗ２の半分に一致する第３の幅Ｗ３（Ｗ３＝Ｗ２／２）を有し、青色光透過領域の面積ＡＢは、赤色光変換領域の面積ＡＲと、緑色光変換領域の面積ＡＧＧＧと、黄色光透過領域の面積ＡＹＹＹとの和に一致（ＡＢ＝ＡＲ＋ＡＧＧＧ＋ＡＹＹＹ）し、赤色光変換領域の面積ＡＲは、緑色光変換領域の面積ＡＧＧＧと、黄色光透過領域の面積ＡＹＹＹとの和に一致（ＡＲ＝ＡＧＧＧ＋ＡＹＹＹ）し、緑色光変換領域の面積ＡＧＧＧは、黄色光透過領域の面積ＡＹＹＹに一致（ＡＧＧＧ＝ＡＹＹＹ）し、
　単位ピクセルは、一つの青色サブピクセルと、一つの赤色サブピクセルと、一つの緑色サブピクセルと、一つの黄色サブピクセルとを含み、青色サブピクセルは、青色発光層と、青色光透過領域とを含み、赤色サブピクセルは、黄色発光層の一部と、赤色光変換領域とを含み、緑色サブピクセルは、黄色発光層の一部と、緑色光変換領域とを含み、黄色サブピクセルは、黄色発光層の一部と、黄色光透過領域とを含み、
　青色サブピクセルは、第１の長さＬ１と、第１の幅Ｗ１と、面積Ｌ１＊Ｗ１とを有し、赤色サブピクセルは、第１の長さＬ１と、第２の幅Ｗ２と、面積Ｌ１＊Ｗ２とを有し、緑色サブピクセルおよび黄色サブピクセルは、第１の長さＬ１と、第３の幅Ｗ３と、面積Ｌ１＊Ｗ３とを有する、
　ＯＬＥＤディスプレイ。」
（３）対比
　本件補正後発明と引用発明とを対比する。
　ア　フルカラーＯＬＥＤディスプレイ
　引用発明の「ＯＬＥＤディスプレイ」において、「単位ピクセルは、一つの青色サブピクセルと、一つの赤色サブピクセルと、一つの緑色サブピクセルと、一つの黄色サブピクセルとを含」む。
　上記構成からみて、引用発明の「ＯＬＥＤディスプレイ」がフルカラーであることは明らかである。また、引用発明の「ＯＬＥＤディスプレイ」は、その文言が意味するとおりのものである。
　そうしてみると、引用発明の「ＯＬＥＤディスプレイ」は、本件補正後発明の「フルカラーＯＬＥＤディスプレイ」に相当する。
　イ　副画素、画素
　前記アで述べた「単位ピクセル」の構成からみて、引用発明のそれぞれの「単位ピクセル」に含まれる「サブピクセル」は、複数であり、４色の異なる色のものである。また、「ディスプレイ」の「ピクセル」に関する技術常識から、引用発明の「ＯＬＥＤディスプレイ」が複数の「単位ピクセル」を含むことは、明らかである。
　そうしてみると、引用発明の「サブピクセル」及び「単位ピクセル」は、それぞれ、本件補正後発明の「４色の異なる色の」とされる「副画素」、及び「画素」に相当する。また、引用発明の「ＯＬＥＤディスプレイ」は、本件補正後発明の「フルカラーＯＬＥＤディスプレイ」における、「複数の副画素をそれぞれが含む複数の画素を含み」との要件を満たす。
　ウ　有機発光領域
　引用発明の「単位ピクセルの有機発光ユニット」は、「青色発光層と黄色発光層とを含み」、「青色発光層および黄色発光層は、データ線方向（ｙ軸方向）に第１の長さＬ１と、スキャン線方向（ｘ軸方向）に第１の幅Ｗ１とを有し」ている。
　上記構成からみて、引用発明の「有機発光ユニット」は、青色と黄色の、異なる２色の発光領域を有するといえる。ここで、青色と黄色の２つの発光領域のいずれを数詞の第１、第２とするかは随意である。
　そうしてみると、引用発明の「ＯＬＥＤディスプレイ」の「単位ピクセル」が含む「青色発光層」の領域及び「黄色発光層」の領域は、それぞれ本件補正後発明の「第１の有機発光領域」及び「第２の有機発光領域」に相当する。また、前記イの対比結果も考慮すると、引用発明の「ＯＬＥＤディスプレイ」と本件補正後発明の（フルカラーＯＬＥＤ）「ディスプレイ」は、「異なる２色」「の第１の有機発光領域と第２の有機発光領域を含む、少なくとも４色の異なる色の副画素を含み」との点で共通する。
　エ　有機発光領域、色変換層
　引用発明の「ＯＬＥＤディスプレイの単位ピクセルのフィルタ」は、「一つの青色光透過領域と、一つの黄色光透過領域と、一つの緑色光変換領域と、一つの赤色光変換領域とを含み」、引用発明の「単位ピクセル」は、「一つの青色サブピクセルと、一つの赤色サブピクセルと、一つの緑色サブピクセルと、一つの黄色サブピクセルとを含み、青色サブピクセルは、青色発光層と、青色光透過領域とを含み、赤色サブピクセルは、黄色発光層の一部と、赤色光変換領域とを含み、緑色サブピクセルは、黄色発光層の一部と、緑色光変換領域とを含み、黄色サブピクセルは、黄色発光層の一部と、黄色光透過領域とを含」む。
　ここで、上記構成及び「フィルタ」に関する技術常識からみて、引用発明の「赤色サブピクセル」及び「緑色サブピクセル」が、位置が重ならず、「黄色発光層」からの光を異なる色の２つの色（赤色と緑色）に変換する層を有する部分であることは、明らかである。同様に、引用発明の「黄色サブピクセル」が、色を変換する層を有さない部分であることも明らかである。加えて、上記構成から理解される位置関係からみて、引用発明の「赤色サブピクセル」、「緑色サブピクセル」及び「青色サブピクセル」は、いずれも前記ウで述べた引用発明の「黄色発光層」の領域が有するものである。そして、引用発明の「単位ピクセル」が複数であること、並びに、引用発明の「単位ピクセル」が「青色発光層」の領域及び「黄色発光層」の領域を含むことは、前記イ及びウで述べたとおりである。
　そうしてみると、引用発明の複数の「単位ピクセル」は、本件補正後発明の「複数の画素」における、「前記第１の有機発光領域と、位置が重ならず異なる色の少なくとも２つの色変換層を有する部分、及び色変換層を有さない部分を有する前記第２の有機発光領域を含」むとの要件を満たす。
（４）一致点及び相違点
　ア　一致点
　以上の対比結果を踏まえると、本件補正後発明と引用発明は、以下の点で一致する。
「　フルカラーＯＬＥＤディスプレイであって、
　複数の副画素をそれぞれが含む複数の画素を含み、
　前記ディスプレイが、異なる２色の第１の有機発光領域と第２の有機発光領域を含む、少なくとも４色の異なる色の副画素を含み、
　前記複数の画素が、前記第１の有機発光領域と、位置が重ならず異なる色の少なくとも２つの色変換層を有する部分、及び色変換層を有さない部分を有する前記第２の有機発光領域を含む、
　フルカラーＯＬＥＤディスプレイ。」
　イ　相違点
　本件補正後発明と引用発明は、以下の点で相違するか、一応相違する。
（相違点１）
　「フルカラーＯＬＥＤディスプレイ」が、本件補正後発明は、「少なくとも８００ｄｐｉの解像度を有する」のに対して、引用発明の「ＯＬＥＤディスプレイ」の解像度は、明らかでない点。
（相違点２）
　（フルカラーＯＬＥＤ）「ディスプレイ」が、本件補正後発明は、「異なる２色
のみ
の全ての画素
（相違点３）
　（フルカラーＯＬＥＤ）「ディスプレイ」が、本件補正後発明は、「前記第２の有機発光領域において、色変換層を有さない部分の面積が、色変換層を有するいずれかの部分の面積の１／２でない」のに対して、引用発明の「ＯＬＥＤディスプレイ」は、このような特定がなされていない点。
（５）判断
　上記相違点について検討する。
　ア　相違点１について
　引用文献１の[0009]に「本発明の態様により、有機発光層のパターニングのための最低限のマージンを保ちながら、高解像度のＯＬＥＤディスプレイが提供される。」と記載されているように、ＯＬＥＤディスプレイを含む表示デバイスの技術分野において、解像度が高いほど望ましいのは当然のことである。そして、どの程度の解像度とするかは、当業者にとって適宜選択可能な設計事項にすぎず、上記相違点１に係る本件補正後発明の構成とすることは、当業者が容易に想到し得たことである。
　イ　相違点２について
　引用発明の「ＯＬＥＤディスプレイ」は、図６に対応するものであるところ、図６からは、「青色」と「黄色」の２色のみの、「青色発光層」の領域と「黄色発光層」の領域しか看取できない。また、引用発明の「ＯＬＥＤディスプレイ」において、引用発明の「単位ピクセル」と異なる構造の、単位ピクセルを設ける理由は見当たらない。
　そうしてみると、上記相違点２は、実質的な差異ではない。
　仮にそうでないとしても、引用発明の「ＯＬＥＤディスプレイ」において、相違点２に係る本件補正後発明の構成を採用することは、引用文献１の記載に接した当業者が自然に行うことにすぎない。
（相違点３について）
　引用発明の「単位ピクセル」において、「赤色光変換領域の面積ＡＲは、緑色光変換領域の面積ＡＧＧＧと、黄色光透過領域の面積ＡＹＹＹとの和に一致（ＡＲ＝ＡＧＧＧ＋ＡＹＹＹ）し、緑色光変換領域の面積ＡＧＧＧは、黄色光透過領域の面積ＡＹＹＹに一致（ＡＧＧＧ＝ＡＹＹＹ）」する。また、これら「赤色光変換領域」、「緑色光変換領域」及び「黄色光変換領域」は、いずれも上記（４）エで述べた「単位ピクセル」の「黄色発光層」の領域に含まれる。
　そして、引用発明の「黄色発光層」の領域において、色変換層を有しない部分である「黄色光透過領域」の面積は、上記のとおり、色変換層を有するいずれかの部分である「緑色光変換領域」の面積の１／２でない。
　そうしてみると、引用発明の「黄色光発光層」の領域は、本件補正後発明の「第２の有機発光領域」における、「色変換層を有さない部分の面積が、色変換層を有するいずれかの部分の面積の１／２でなく」との要件を満たす。
　したがって、上記相違点２は、実質的な差異ではない。
　仮に、上記相違点２が実質的な差異である（「いずれかの」が「いずれもの」の意味である）として、以下に検討する。
　引用文献１の[0089]〜[0095]には、第６の例示的な実施形態における、ＯＬＥＤディスプレイが記載されているところ、[0090]には、「赤色光変換領域６３０Ｒ、黄色光透過領域６３０Ｙ、緑色光変換領域６３０Ｇは、それぞれ同一の面積を有する。」と記載されている。すなわち、引用文献１には、引用発明の認定に用いた第４の例示的な実施形態のように、「黄色光透過領域」の面積が、「緑色光変換領域」の面積に等しく、「赤色光変換領域」の面積の１／２であるもののみならず、第６の例示的な実施形態のように、「黄色光透過領域」の面積が、「緑色光変換領域」及び「赤色光変換領域」の面積に等しいものも記載されている。
　これら引用文献１の記載からも理解されるように、ＯＬＥＤディスプレイにおいて、有機発光領域における、色変換層を有さない部分と色変換層を有する部分の面積をどの程度とするかは、当業者にとって適宜選択可能な設計事項にすぎない。
　したがって、引用発明において、上記相違点２に係る本件補正後発明の構成とすることは、当業者が容易に想到し得たことである。
（６）効果について
　本件出願明細書には、発明の効果に関する明示的な記載は存在しない。ただし、本件出願明細書の【００１８】には、「本明細書に開示される各種実施形態は、ＯＬＥＤディスプレイなどのデバイス及びその作製のための技術を提供し、これらによれば、含まれる発光領域の数が限定されていながらも、フルカラーディスプレイ及びこれに類するデバイスを提供するために十分な色範囲を提供することができる。」と記載され、【０２４９】には、「本明細書に開示されるディスプレイは、また、比較的高い解像度を有することができる。例えば、２５０、３００、４００、５００、６００、７００ｄｐｉ、若しくはそれ以上、又はこれらの値の間の任意の値などの解像度を有することができる。」と記載されている。
　しかしながら、仮に、これら事項を本願発明の効果であると理解しても、このような効果は、引用発明及び引用文献１の記載から予測できる範囲内のものである。
（７）審判請求人の主張について
　ア　審判請求人は、令和２年７月２１日提出の審判請求書において、「本願発明の「（要件Ａ）第２の有機発光領域において、色変換層を有さない部分の面積が、前記色変換層を有するいずれかの部分の面積の１／２でない」を引用文献１は記載されておらず、示唆もありません。」、「本願発明は、（要件Ａ）と同時に「（要件Ｂ）少なくとも８００ｄｐｉの解像度を有する」ことも必須の条件です。」、「引用文献１〜３はいずれも、本件発明における（要件Ａ）及び（要件Ｂ）の必須である複数の要件を記載しておらず、示唆もありません。したがって、本願発明は引用文献１〜３から容易に想到することはできず、本願発明は特許法第２９条第２項により拒絶されるものではありません。」と主張している。
　また、審判請求人は、令和２年１０月９日提出の上申書において、審判請求書の上記主張と同様の主張に加えて、「請求項３の「異なる２色のみの第１の有機発光領域、及び第２の有機発光領域が、ライトブルー及び黄色、又はディープブルー及び黄色を含み、前記黄色が５４０ｎｍ〜６００ｎｍの範囲にピーク波長を有する発光スペクトルであり、前記ライトブルーが４６９ｎｍ〜５００ｎｍの範囲にピーク波長を有する発光スペクトルであり、前記ディープブルーが４００ｎｍ〜４６６ｎｍの範囲にピーク波長を有する発光スペクトルである」といった規定を、請求項１に取り込む補正の用意があります。」との補正する案を示している。
　イ　審判請求人の上記主張について、上記（２）〜（６）で示したとおりであるから、審判請求人の上記主張を採用することはできない。
　また、請求項３を請求項１に取り込んだとしても、黄色の発光スペクトルのピーク波長及びライトブルー又はディープブルーの発光スペクトルのピーク波長は、いずれも青色又は黄色の発光スペクトルとして常識的な範囲内のものであるから、引用発明に基づいて当業者が容易に発明をすることができたものである。
（８）小括
　以上から、本件補正後発明は、引用文献１に記載された発明に基づいて当業者が容易に発明をすることができたものであり、特許法第２９条第２項の規定により、特許出願の際独立して特許を受けることができない。
３　補正却下の決定のむすび
　以上のとおりであるから、本件補正は、特許法第１７条の２第６項において準用する同法第１２６条第７項に規定に違反するので、同法第１５９条第１項の規定において読み替えて準用する同法第５３条第１項の規定により却下すべきものである。
　よって、前記「第２　令和２年７月２１日にされた手続補正についての補正の却下の決定」［結論］のとおり決定する。
第３　本願発明について
１　本願発明
　以上のとおり、本件補正は却下されたので、本件出願の請求項１に係る発明（以下「本願発明」という。）は、前記第２［理由］１（１）に記載のとおりのものである。
２　原査定の拒絶の理由
　原査定の拒絶の理由は、概略、本件出願の請求項１に係る発明は、本件優先日前に日本国内又は外国において、頒布された刊行物である下記の引用文献１に記載された発明に基づいて当業者が容易に発明をすることができたものであるから、特許法第２９条第２項の規定により特許を受けることができない、という理由を含むものである。
　　　　　　　　　　　　　　　　　記
引用文献１：米国特許出願公開第２００９／０２９５２８３号明細書
３　引用文献及び引用発明
　引用文献１の記載及び引用発明は、前記第２［理由］２（２）ア及びイに記載したとおりである。
４　対比及び判断
　本願発明は、前記第２［理由］２で検討した本件補正後発明から、前記第２［理由］１の補正事項に係る数値範囲を拡張するとともに、補正前の請求項４に記載された発明特定事項を削除したものである。
　そうすると、本願発明の発明特定事項を全て含み、さらに限定した本件補正後発明が、前記第２［理由］２に記載したとおり、引用文献１に記載された発明に基づいて当業者が容易に発明をすることができたものであるから、本願発明も、引用文献１に記載された発明に基づいて当業者が容易に発明をすることができたものである。
第４　むすび
　以上のとおり、本願発明は、特許法第２９条第２項の規定により特許を受けることができない。
　したがって、他の請求項に係る発明について検討するまでもなく、本件出願は拒絶されるべきものである。
　よって、結論のとおり審決する。